(57)【特許請求の範囲】
【請求項１】
前輪および後輪を備える車体に、座部と前輪操舵用のハンドルを備えて構成されている乗用玩具であって、
前記車体は、前記前輪および後輪を備える車体下半部側と、前記座部を備える車体上半部側とから、該車体上半部側を前記車体下半部側に対して開閉可能と成し、
前記車体下半部側と前記車体上半部側との内側に遊戯施設を備えて、前記車体上半部側を開いて前記車体下半部側に隣接させることにより、該車体上半部側と該車体下半部側に前記遊戯施設が出現するように構成してなり、
前記車体上半部側は、前記車体下半部側の側方に隣接開閉可能と成し、
前記遊戯施設は、少なくとも走行玩具を走行させる誘導路を備え、
前記誘導路は、前記車体下半部側に備えられる上部走行路と、前記車体上半部側に備えられる下部走行路と、前記上部走行路と前記下部走行路とを連結する連結走行路と、から形成され、
前記連結走行路は、前記車体上半部側の開閉動作に追従してスライド進退するように前記上部走行路側に備えられ、前記車体上半部側の開動作に追従してスライド前進して前記下部走行路に突き合わせ連結するように構成されていることを特徴とする乗用玩具。
【請求項２】
前記車体上半部側は、その一側部が前記車体下半部側の一側部に枢支されて当該枢支部を支点に前記車体下半部側の側方に隣接開閉可能と成し、
前記誘導路は、前記枢支部を支点とする前記車体上半部側の開動作に追従してスライド前進する前記連結走行路の前記下部走行路への突き合わせ連結により前記車体下半部側から前記車体上半部側に向けて一連に下るスロープ状に構成されることを特徴とする請求項１に記載の乗用玩具。
【発明の詳細な説明】
【技術分野】
【０００１】
本発明は、座部に座って地面などを蹴りながら幼児が自ら走行する乗用態様に加えて、他の遊び態様として選択使用することができる乗用玩具に関する。
【背景技術】
【０００２】
一般に、乗用玩具は、前輪および後輪を備えている車体の前側に前輪を舵取るハンドルを備え、後側に座部（座席）を備えて、車体を跨いで座部に座り、両足で地面などを蹴ることによって幼児が自ら乗用する遊びを楽しむことができるように構成されている（例えば、特許文献１および特許文献２などを参照）。
【０００３】
また、従来では、乗用を楽しむ本来の遊びの態様に加えて、引き車やロッキングチェアの遊びの態様としても選択使用することができる付加価値をつけた乗用玩具も知られている（例えば、特許文献３および特許文献４などを参照）。
例えば、引き車の遊び態様として選択使用することができる特許文献３に記載の乗用玩具は、車体の前面両側に収納引出し可能に左右一対の牽引紐の一端側を取り付けとともに、左右一対の牽引紐の他端側には握り部を備えて、左右一対の牽引紐を引き出した状態で幼児が自ら握り部を握って牽引する引き車として遊ぶことができるように構成されている。
【先行技術文献】
【特許文献】
【０００４】
【特許文献１】特開平８−２７２５２１号公報
【特許文献２】特開２００６−２３０７９６号公報
【特許文献３】特許第２６４５３５８号公報
【特許文献４】特開平２００６−４２９７２号公報
【発明の概要】
【発明が解決しようとする課題】
【０００５】
特許文献３および特許文献４などに記載されている従来技術では、座部に座って自ら両足で地面などを蹴りながら乗用する楽しみに加えて、乗用玩具を牽引する引き車として、または、ロッキングチェアとして幼児に楽しみを与えるなど、好奇心が旺盛な幼児の興味を引き付けて遊びの態様を拡げることができるために有益な乗用玩具と言える。
【０００６】
そこで、本発明は、このように遊びの態様を拡げてなる従来技術の乗用玩具に対し、引き車やロッキングチェアとは全く異なる遊びを展開させることができる遊戯態様にて乗用とともに継続的に楽しませることができる飽きのこない遊戯施設としての選択使用を可能にした乗用玩具を提供するなどを目的とする。
【課題を解決するための手段】
【０００７】
本発明に係る乗用玩具では少なくとも以下の構成を具備している。
すなわち、本発明では、前輪および後輪を備える車体に、座部と、前輪操舵用のハンドルを備えて構成されている乗用玩具であって、
前記車体は、前記前輪および後輪を備える車体下半部側と、前記座部を備える車体上半部側とから、該車体上半部側を前記車体下半部側に対して開閉可能と成し、
前記車体下半部側と前記車体上半部側との内側に遊戯施設を備えて、前記車体上半部側を開いて前記車体下半部側に隣接させることにより、該車体上半部側と該車体下半部側に前記遊戯施設が出現するように構成してなり、前記車体上半部側は、前記車体下半部側の側方に隣接開閉可能と成し、前記遊戯施設は、少なくとも走行玩具を走行させる誘導路を備え、前記誘導路は、前記車体下半部側に備えられる上部走行路と、前記車体上半部側に備えられる下部走行路と、前記上部走行路と前記下部走行路とを連結する連結走行路と、から形成され、前記連結走行路は、前記車体上半部側の開閉動作に追従してスライド進退するように前記上部走行路側に備えられ、前記車体上半部側の開動作に追従してスライド前進して前記下部走行路に突き合わせ連結するように構成されていることを特徴とする。
【０００８】
ここで、前記車体上半部側は、その一側部が前記車体下半部側の一側部に枢支されて当該枢支部を支点に前記車体下半部側の側方に隣接開閉可能と成し、前記誘導路は、前記枢支部を支点とする前記車体上半部側の開動作に追従してスライド前進する前記連結走行路の前記下部走行路への突き合わせ連結により前記車体下半部側から前記車体上半部側に向けて一連に下るスロープ状に構成されることが好適なものとなる。前記走行玩具は、例えば、自動車（ミニカー）である。
【発明の効果】
【０００９】
本発明によれば、座部に座り両足で蹴りながら走行する本来の乗用を楽しむ遊びに加えて、車体の車体上半部側を開くことで出現する遊戯施設で幼児を楽しませることができる。例えば、自動車などの走行玩具を走行させるなどの遊戯施設として幼児を遊ばせることができる。つまり、乗用玩具の外観からは予想もできない遊びに展開させる飽きのこない遊戯態様（遊戯玩具）にて乗用とともに継続的に楽しませることができる。
【００１０】
そして、走行玩具などを走行させて遊ぶ遊戯施設を備えた乗用玩具であるが故に、乗用することができない幼児の場合でも、走行玩具を走らせたり、遊戯施設に備えられている他の玩具によって遊ばせることができる。つまり、ハイハイやヨチヨチ歩き状態の幼児から自力で歩いて乗用することができる状態まで育った幼児に至る長期にわたって遊びを展開させることができる。
【００１１】
また、自動車などの走行玩具を走行させる遊戯施設の誘導路は、前輪および後輪を備える車体下半部側の上部走行路と、車体下半部側に開閉可能と成して座部を備える車体上半部側の下部走行路とから分離・連結可能に形成されている。
これにより、車体下半部側に対して車体上半部側を閉じた乗用態様の状態では上部走行路と下部走行路とが分離されて車体下半部側と車体上半部側のそれぞれの内側に収まる一方で、車体上半部側を開いた遊戯態様の状態では上部走行路に対して下部走行路が連結されて車体下半部側から車体上半部側に至る一連の誘導路が構成される。
つまり、自動車などの走行玩具で遊ぶときには、車体下半部側から側方に隣接状態で開かれる車体上半部側に至る広範囲（乗用で遊ぶときの車体の略２倍の広さ）にて構成される長い距離の誘導路によって走行玩具を長く走行させることができる。
【００１２】
また、車体下半部側に対する車体上半部側の枢支部を支点とする開閉時における誘導路の上部走行路に対する下部走行路の分離と連結は、車体上半部側の開閉動作に追従してスライド進退する連結走行路によって行われる。
これにより、乗用態様の状態では、誘導路の上部走行路と下部走行路とが分離された状態で車体下半部側と車体上半部側のそれぞれの内側に収まり、一方、乗用態様の閉じの状態から車体上半部側を開いて遊戯態様の状態として走行玩具を走行させて遊ぶときは、上部走行路側に対して下部走行路側が自動的に連結されて車体下半部側から車体上半部側に至る広範囲にて一連に構成される長い距離の誘導路全長において走行玩具を走行させる遊びを幼児に楽しませることができる。
【図面の簡単な説明】
【００１３】
【図１】本発明の実施形態に係る乗用玩具の遊戯態様の状態を前側斜め上方から見たときの斜視図である。
【図２】同遊戯態様のときの平面図である。
【図３】同遊戯態様のときの縦断面図である。
【図４】乗用態様の状態を前側斜め上方から見たときの斜視図である。
【図５】同乗用態様のときの縦断面図で、（ａ）は、図４のａ−ａ線断面図であり、（ｂ）は、図４のｂ−ｂ線断面図である。
【図６】分解斜視図である。
【図７】車体の車体上半部側が完全に開いている遊戯態様のときの誘導路の一部を示し、（ａ）は、図２のａ−ａ線断面図であり、（ｂ）は、図２のｂ−ｂ線断面図である。
【図８】同車体上半部側の閉じ動作の初期の段階を示す同断面図である。
【図９】同車体上半部側の継続する閉じ動作によって下部走行路の路面が連結走行路の初期後退縁部に衝合した段階を示す同断面図である。
【図１０】同車体上半部側の継続する閉じ動作によって下部走行路側の後退用エッジが連絡走行路側の後退用ボスに衝合する直前の段階を示す同断面図である。
【図１１】同車体上半部側の継続する閉じ動作によって下部走行路側の後退用エッジが連絡走行路側の後退用ボスに衝合した段階を示す同断面図である。
【図１２】同車体上半部側が完全に閉じられて乗用態様に戻された状態を示し、（ａ）は、図２のａ−ａ線に位置する断面図であり、（ｂ）は、図２のｂ−ｂ線に位置する断面図である。
【図１３】誘導路の連結走行路を示し、（ａ）は、下方から見たときの斜視図であり、（ｂ）は、上方から見たときの斜視図である。
【図１４】フック部材を上方から見たときの斜視図である。
【図１５】スタート台およびそのスタート操作部材を示し、（ａ）は、スタート台を斜め上方から見たときの斜視図であり、（ｂ）は、スタート操作部材を斜め上方から見たときの斜視図である。
【図１６】搬入台およびその搬入操作部、連繋部材をそれぞれ示し、（ａ）は、搬入台を斜め上方から見たときの斜視図であり、（ｂ）は、搬入操作部を斜め上方から見たときの斜視図であり、連繋部材を斜め上方から見たときの斜視図である。
【図１７】スタート台および搬入台が配置されている車体の一部を拡大して示す断面図である。
【図１８】スタート操作部材のスタートボタンによりスタート台を斜めに傾動させた状態の同断面図である。
【図１９】遊戯施設の駐車場エリアを示し、（ａ）は、方向変換設備が配置されている車体上半部の後半部側の断面図であり、（ｂ）は、回転玩具が配置されている同後半部側の断面図である。
【発明を実施するための形態】
【００１４】
以下、本実施形態について、適宜図面を参照しながら詳細に説明する。
図１および図２は、本発明の実施形態に係る乗用玩具の遊戯態様ときの状態を示す斜視図および平面図であり、図３は、同遊戯態様のときの縦断面図であり、図４および図５は、同乗用玩具の乗用態様のときの状態を示す斜視図および縦断面図であり、図６は、分解斜視図である。
なお、本実施形態では、車体１を跨いで座部４に座る幼児から見た方向に従い、図４において、Ｆｒが車体１の前側、Ｒｒが車体１の後側、Ｌが車体１の左側、Ｒが車体１の右側を示す。
【００１５】
≪乗用玩具の説明≫
乗用玩具Ａは、前輪２および後輪３を備える車体１と、車体１の略後半部側に位置して備えられる座部４と、車体１の前側に位置して備えられる前輪操舵用のハンドル５とから構成されている。
【００１６】
≪車体の説明≫
車体１は、例えば、合成樹脂材料などからなる成形材料を用いた射出成形やブロー成形などによる金型成形によって形成される成形品である。
この車体１は、前輪２および後輪３を備える車体下半部１ａ側と、座部４を備える車体上半部１ｂ側とから、車体上半部１ｂ側を車体下半部１ａ側に対して開閉可能に構成されている。そして、車体下半部１ａ側と車体上半部１ｂ側の内側に、車体上半部１ｂ側を開いたときに出現する遊戯施設Ｂを備えるように形成されている。
これにより、幼児用玩具Ａは、図４に示す乗用態様の状態から、図１および図２に示すように、車体上半部１ｂ側を開くことで、後記する走行玩具ｂを走行させるなどによって遊ぶことができる遊戯態様としても選択使用することができるように構成されている。
【００１７】
≪車体下半部および車体上半部の説明≫
まず、車体下半部１ａ側について説明する。
車体下半部１ａは、図４に示すように、車体１の前部（フロント部）６、後部（リア部）７と、操作ハンドル５のステアリング軸５ａが上下貫通状に挿通される軸挿通孔８が開口される車体前側の部分８ａ（以後、開口部分と称する）とを含めた車体１の全長、全幅を有する平面視形態を呈して、遊戯施設Ｂの後記する誘導路ｂ１の上部走行路１６側、走行玩具ｂのスタート台１４および搬入台（エレベータ）１５などが組み込み配置されるように形成されている。
そして、車体下半部１ａ側は、図６に示すように、車体一側面に沿う前部６と後部７とのそれぞれの立上り基部、この前後部６，７間における中央よりも前部６側寄りの一ヵ所に枢支用の横向き凹部（横孔）９をそれぞれ備えて、車体上半部１ｂ側の後記する後半部１ｂ−１側と前半部１ｂ−２の一方側とを車体１の側方に向けて開閉可能に枢支（連結）し得るようにしている。
また、図示を省略しているが、車体下半部１ａの車体他側面に沿う前部６の立上り基部、一側面側の横向き凹部９と対向する立上り基部に枢支用の横向き凹部をそれぞれ備えており、車体上半部１ｂ側の前半部１ｂ−２の他方側を車体１の側方に向けて開閉可能に枢支し得るようにしている。
【００１８】
また、車体下半部１ａの後側には、遊戯施設Ｂで遊ぶ走行玩具ｂを収納保管して置く。つまり、乗用態様で遊ぶときや乗用玩具Ａ自体を保管して置くときなどにおいて、走行玩具ｂを収納保管して置くための引出し形態の保管箱１０を備えている。
【００１９】
つぎに、車体上半部１ｂ側について説明する。
車体上半部１ｂは、図４に示すように、座部４を備える後半部１ｂ−１側と、操作ハンドル５が装着される前半部１ｂ−２側との前後に２分され、さらに前半部１ｂ−２側が軸挿通孔８の開口部分８ａを左右（車体両側）への開閉分離部（境目）として左右に２分された形態を成して、遊戯施設Ｂの誘導路ｂ１の下部走行路１７側と駐車場エリア５０、６１などが後半部１ｂ−１側および前半部１ｂ−２の一方側に配置されるように形成されている。
【００２０】
後半部１ｂ−１側は、図５の（ｂ）および図６に示すように、座部４部分と車体１の一側上半部１１側とを連設させた断面視で略Ｌ字形状に形成されている。そして、この後半部１ｂ−１側における車体下半部１ａ側とにより車体１の一側面を形成する一側上半部１１の下辺両側に横向き凸部１２を備えている。
これにより、後半部１ｂ−１側は、横向き凸部１２を車体下半部１ａ側の車体一側面における横向き凹部９に対して枢支させ、当該両枢支部Ｐを支点に車体１の側方に向けて隣接開くように、車体下半部１ａの後半側に組み込み取り付けられるように形成されている。
【００２１】
一方、車体上半部１ｂ側の左右に２分された前半部１ｂ−２は、図５の（ａ）および図６に示すように、車体１の両側面上半部１３側と操作ハンドル５が装着される車体１の前側上面を形成する断面視で略Ｌ字形状にそれぞれ形成されている。そして、この２分された前半部１ｂ−２側における車体下半部１ａ側とにより車体１の両側面を形成するそれぞれの側面上半部１３の下辺両側に横向き凸部１２をそれぞれ備えている。
これにより、左右に２分されている前半部１ｂ−２側は、横向き凸部１２を車体下半部１ａ側の両側面における横向き凹部９に対して枢支させ、当該両枢支部ｐを支点に車体１の両面側方に向けてそれぞれ隣接開くように、車体下半部１ａの前半側に組み込み取り付けられるように形成されている。
【００２２】
そして、本実施形態では、このように形成されている車体１の車体下半部１ａ側と車体上半部１ｂ側との内側に遊戯施設Ｂを備えている。
【００２３】
≪遊戯施設の説明≫
遊戯施設Ｂは、乗用玩具Ａ本来の、車体１を跨いで座部４に座り両足で地面などを蹴りながら幼児が自ら走行を楽しむ乗用態様とは全く異なる他の遊びを展開させるための施設である。
遊戯施設Ｂは、例えば、図１および図２に示すように、走行玩具ｂを走行させて遊ぶ誘導路ｂ１、走行玩具ｂを駐車させるなどによって遊ぶ駐車場エリアｂ２などを配置した形態に構成されている。
走行玩具ｂは、前後輪（四輪）とも遊転可能とする無動力の自動車（ミニカー）であり、遊戯施設Ｂの誘導路ｂ１上を走行するように形成されている。
【００２４】
≪誘導路の説明≫
図７〜図１２は、誘導路の一部を示す縦断面図である。ここでは、図１〜図３、および図６を適宜参照しながら説明する。
誘導路ｂ１は、スロープを利用して走行玩具ｂを走行させる遊びを幼児に与えるコースである。
この誘導路ｂ１は、図１および図２に示すように、車体前側におけるステアリング軸５ａの回りを平面視で車体の幅方向一方側（走行玩具ｂのスタート位置）から他方側へ急激にカーブして車体後側へ向けて直線的に下り、車体後側において車体一側に向けて大きくカーブした後に急激下って車体外へと走行玩具ｂが走行するコース設定にて構成されている。
また、誘導路ｂ１のスタート位置には、スタート台１４と、このスタート台１４に走行玩具ｂを搬入するための搬入台１５とが備えられている。
【００２５】
そして、誘導路ｂ１は、車体下半部１ａ側に備えられる上部走行路１６と、車体上半部１ｂ側に備えられる下部走行路１７とから形成されて、枢支部Ｐを支点に車体上半部１ｂ側が車体下半部１ａ側の側方に開いたときに、上部走行路１６に対して下部走行路１７が一連に連結されて車体下半部１ａ側から車体上半部１ｂ側に向けて下るスロープ状に構成されるようになっている。
また、誘導路ｂ１は、図１および図２、図６に示すように、上部走行路１６と下部走行路１７とを分離可能に連結するための連結走行路１８を備えている。
【００２６】
上部走行路１６は、図６に示すように、スタート台１４が設置される設置部１４ａを一体に備えて、図１および図２に示すように、車体下半部１ａ側の車体前側におけるステアリング軸５ａ（軸挿通孔８の開口部分８ａ）の回りから車体後側に向け、かつ、当該車体後側において下部走行路１７が分離可能に連結される車体側方に向けた形態にて車体下半部１ａ側に取り付け配置されるように形成されている。
そして、上部走行路１６は、車体側方に向けた路面幅（走行幅）が連結走行路１８の路面幅よりも狭く形成されており、連結走行路１８が外側に位置してスライド進退可能に組み込み連結されるようにしている。
【００２７】
下部走行路１７は、図６に示すように、上部走行路１６の車体側方に向けた下り延長線上に位置して急激に下るスロープ形態を成して、車体上半部１ｂの後半部１ｂ−１側に取り付け配置されるように形成されている。
そして、下部走行路１７は、その路面幅（走行幅）が連結走行路１８の路面幅よりも広く形成されており、後記する初期後退縁部２１を内側に位置させた状態で連結走行路１８が突き合わせ連結されるようにしている。
【００２８】
また、下部走行路１７は、枢支部Ｐを支点に車体上半部１ａの後半部１ｂ−１が閉じられるときに、連結走行路１８の後記する後退用ボス２２に衝合させるための後退用エッジ１９を分離・連結端部１７ａ側における一側壁部に備えている。
この後退用エッジ１９は、図６および図７に示すように、下部走行路１７の分離・連結端部１７ａ側から走行方向（走行玩具ｂの走行出口側）に向けて高さが徐々に高くなる異形状の略弓なりに形成されている。これにより、枢支部Ｐを支点に車体上半部１ａの後半部１ｂ−１が閉じられるときに、下部走行路１７の分離・連結端部１７ａから分離された連結走行路１８が上部走行路ｂ１側のスライド後退限（車体上半部１ｂが完全に閉じられる状態、図５および図１２参照）まで移動させるようにしている。
【００２９】
また、下部走行路１７は、枢支部Ｐを支点に車体上半部１ｂの後半部１ｂ−１が閉じられるとき、連結走行路１８および上部走行路１６との干渉を逃がすスリット状の開口部２０を路面両側に備えている。これにより、図１２に示すように、車体上半部１ｂ側に備えられている下部走行路１７が、車体下半部１ａ側に備えられる上部走行路１６および連結走行路１８に干渉することを避けて、車体上半部１ｂを車体下半部１ａ側に対して完全に閉じた乗用態様の状態に戻すようにしている。
【００３０】
図１３は、連結走行路を示す斜視図である。
連結走行路１８は、車体上半部１ｂが閉じられた図４に示す乗用態様の状態で下部走行路１７側の分離・連結端部１７ａから分離（離間）し、車体上半部１ｂが開かれた図１および図２に示す遊戯態様の状態では、下部走行路１７の分離・連結端部１７ａに突き合わせ連結するように、上部走行路１６側に位置して車体下半部１ａ側にスライド進退可能に取り付け配置される。
この連結走行路１８は、路面幅（走行幅）が上部走行路１６側の路面幅よりも広く、下部走行路１７側の路面幅よりも狭く形成されている短尺形態を成している。
【００３１】
そして、連結走行路１８は、図７および図１３に示すように、下部走行路１７の分離・連結端部１７ａに突き合わせ連結される突合せ端部１８ａ側における両側壁を、当該突合せ端部１８ａよりも下部走行路１７側に向けて湾曲状に突出させてなる初期後退縁部２１を両側壁に備えている。これにより、図９に示すように、枢支部Ｐを支点に車体上半部１ｂが閉じられる動作段階で下部走行路１７の路面が初期後退縁部２１に衝合して連結走行路１８を上部走行路１６側にスライド後退させる動きを連結走行路１８に伝えるようにしている。
【００３２】
また、連結走行路１８は、初期後退縁部２１への下部走行路１７の衝合により上部走行路１６側へスライド後退されて、車体上半部１ｂの後半部１ｂ−１が車体下半部１ａに閉じられる閉じ動作の過程で、下部走行路１７側の後退用エッジ１９が衝合する後退用ボス２２を備えている。
この後退用ボス２２は、後退用エッジ１９と対応する下部走行路１７の一側壁の外面に備えられている。これにより、連結走行路１８は、継続する車体上半部１ｂの後半部１ｂ−１の閉じ動作に追従して上部走行路１６側のスライド後退限まで押動されるようになっている。換言すれば、連結走行路１８がスライド後退限まで確実に後退移動されることで、図１２に示すように、車体下半部１ｂ側が車体上半部１ａに閉じられる。
【００３３】
また、連結走行路１８は、下部走行路１７の分離・連結端部１７ａに対する突合せ端部１８ａ側とは反対側の端部から上部走行路１６側に向けて延設するように突出させた突出杆部２３を備えている。
この突出杆部２３は、断面視で略下向きコの字形状に形成されて、図６および図１２の（ｂ）に示すように、車体下半部１ａ側に設けられている設置溝２４に摺動自在に嵌め合わせセットされる。つまり、連結走行路１８が、振れることなく車体上半部１ｂ側の開閉動作に追従してスムーズにスライド進退し得るようにしている。
【００３４】
そして、突出杆部２３の突端側裏面には、コイルスプリングなどの弾発部材２５の一端側を取り付けるための止着ボス２６を備えている。これにより、止着ボス２６に一端側を取り付けた弾発部材２５の他端側を、図６、図７の（ｂ）および図１２の（ｂ）に示す設置溝２４の溝端側（下部走行路１７の分離・連結端部１７ａ側に位置する溝端側）に設けられている止着ボス２７に取り付けることで、連結走行路１８を弾発部材２５によって下部走行路１７側へ常時付勢し、該下部走行路１７の分離・連結端部１７ａに突き合わせ連結し得るようにしている。
つまり、車体上半部１ｂ側を閉じ状態から開いたときに、弾発部材２５によって連結走行路１８は下部走行路１７側にスライド前進して下部走行路１７の分離・連結端部１７ａに自動的に突き合わせ連結されるようになっている。
【００３５】
そして、本実施形態では、弾発部材２５によって連結走行路１８が下部走行路１７側にスライド前進してその突合せ端部１８ａが下部走行路１７の分離・連結端部１７ａに突き合わせ連結された時点で、連結走行路１８の下部走行路１７に対する突き合わせ連結状態を係脱自在に保持するためのフック部材２８を、図７に示すように、下部走行路１７の分離・連結端部１７ａが位置する車体下半部１ａ側に組み込み配設している。
【００３６】
図１４は、フック部材を示す斜視図である。
フック部材２８は、側面視で略Ｌ字形状に形成されてその短杆側を引掛け爪部２８ａと成して、連結走行路１８が下部走行路１７に突き合わせ連結された時点で、図７および図１３に示すように、連結走行路１８の裏面に設けられている引掛け突部２９に引っ掛かるようにしている。
【００３７】
また、フック部材２８の長杆側の端部には平面視で略Ｔ字状に回転部２８ｂが備えられていて、車体上半部１ｂ側の開閉動作に応じて引掛け爪部２８ａ側を上下方向に移動（揺動）させるようになっている。つまり、車体上半部１ｂ側が閉じた状態から開くときにおいては、連結走行路１８の突合せ端部１８ａが下部走行路１７の分離・連結端部１７ａに突き合わせ連結された時点で引掛け爪部２８ａ側を上げて連結走行路１８の裏面引掛け突部２９に引っ掛ける。
一方、車体上半部１ｂ側が開いた状態から閉じるときにおいては、その閉じ動作の初期の段階で、引掛け爪部２８ａ側を下げて連結走行路１８の裏面引掛け突部２９に対する引っ掛かり状態を解除して、連絡走行路１８を弾発部材２５の弾発力に抗して上部走行路１６側にスライド後退させて、下部走行路１７の分離・連結端部１７ａとから自動的に分離（離間）されるようにしている。
【００３８】
このように構成されている遊戯施設Ｂの誘導路ｂ１によれば、図１および図２に示すように、車体下半部１ａ側の車体前側から車体後側、そして、開かれた車体上半部１ｂ側に至る広範囲（乗用で遊ぶときの車体の略２倍の広さ）にて構成されるために、幼児は長い距離にて走行玩具ｂを走行させる遊びを楽しむことができる。
また、車体下半部１ａ側の上部走行路１６に対する車体上半部１ｂ側の下部走行路１７の分離と連結は、車体上半部１ｂ側の開閉動作に追従してスライド進退する連結走行路１８の動きによって自動的に行われる。
これにより、図４に示す乗用態様の状態から車体上半部１ｂ側を開いて遊戯態様として走行玩具ｂを走行させて幼児を遊ばせるときは、座部４を備える車体上半部１ｂ側を前輪２、後輪３を備える車体下半部１ａ側の側方に枢支部Ｐを支点に開くという簡単な操作によって、前記のように、車体下半部１ａ側から車体上半部１ｂ側に至る広範囲にて一連に構成される長い距離の誘導路ｂ１全長において走行玩具ｂを走行させる遊びによって幼児が楽しむことができる。
【００３９】
≪スタート台および搬入台の説明≫
つぎに、このように構成される誘導路ｂ１のスタート位置に配置される走行玩具ｂのスタート台１４とその搬入台１５について説明する。
図１５は、スタート台およびそのスタート操作部材をそれぞれ示す斜視図であり、図１６は、搬入台およびその搬入操作部、連繋部材をそれぞれ示す斜視図であり、図１７および図１８は、スタート台および搬入台が配置されている車体の一部を拡大して示す断面図である。ここでは、図６を適宜参照しながら説明する。
スタート台１４は、幼児が自ら操作するスタート操作部材３０の手動操作によって走行玩具ｂを誘導路ｂ１に送り出して走行させる遊びを楽しむことができるように構成されている。
このスタート台１４は、走行玩具ｂが載る程度の大きさを有する平面視で略矩形形状に形成されて、その後端側（一側短辺側）の両側面に枢支ボス３１を備え、前端側（他側短辺側）の前面に連繋部３２を備えた形態に成している。
【００４０】
枢支ボス３１は、図６および図１５の（ａ）に示すように、車体下半部１ａ側に備えられている枢支凹部３３に枢支される凸状にてスタート台１４の両側面に備えられている。これにより、スタート台１４は、上部走行路１６に備えられている設置部１４ａを介して枢支ボス３１による枢支部を支点に車体下半部１ａ側に上下傾動可能に組み込まれ配置される。
連繋部３２は、図１５の（ａ）に示すように、スタート台１４の前面から前方に向けて平行に突設されて側面視で傾斜状に開口された連繋傾斜孔３２ａをそれぞれ備えている。
【００４１】
また、スタート台１４は、図１５の（ａ）および図１７に示すように、車止め用の凹み３４を備えており、搬入台１５からスロープを利用して搬入されてくる走行玩具ｂが凹み３４によって止められるようにしている。
【００４２】
スタート操作部材３０は、図１５の（ｂ）に示すように、平面視で略三日月形状で上下操作に必要な高さを有するスタートボタン３０ａから連繋腕部３０ｂを後方に向けて水平に突設させた形態に形成され、連繋腕部３０ｂの突端両側に連繋ボス３５を備えている。
そして、スタート操作部材３０は、連繋腕部３０ｂの突出基部部分に下向き開口のバネ係止凹部３６を備えている。
これにより、スタート操作部材３０は、図１７および図１８に示すように、スタートボタン３０ａをバネ係止凹部３６と車体下半部１ａ側のバネ係止凹部３７との間に弾装されるコイルスプリングなどの弾発部材３８によって常時上方に付勢させた状態で前面フロント部材３９によって車体下半部１ａの前側に取り付け配置されるとともに、連繋腕部３０ｂの連繋ボス３５をスタート台１４の連繋部３２の連繋傾斜孔３２ａに摺動可能に連繋させるように形成されている。
【００４３】
搬入台１５は、幼児が自ら操作する搬入操作部４０の押し操作によって走行玩具ｂをスタート台１４上に搬入させることができる遊び、楽しみを幼児に与えるように構成されている。
この搬入台１５は、走行玩具ｂを載せることができる程度の大きさを有する平面視で略矩形形状で、なおかつ、適宜の高さを有する下向き開口のボックス状に形成されているとともに、走行玩具ｂを載せる上面がスタート台１４側に向けたスロープ状に形成されている。
この搬入台１５は、図６および図１７に示すように、取付部材４１の昇降部４２に上下摺動可能に組み込まれた状態で車体下半部１ｂ側に上下動可能に取り付け配置されるようにしている。
【００４４】
搬入操作部４０は、図１６の（ｂ）に示すように、平面視で略矢印形状に形成されて、図６および図１７に示すように、取付部材４１の操作部４３に組み込まれた状態で車体下半部１ｂ側に取り付け配置されるようにしている。
そして、この搬入操作部４０と搬入台１５は、図１７および図１８に示すように、連繋部材４４を介して連繋されて、搬入操作部４０の下方への押し操作によって搬入台１５が上昇するようにしている。
【００４５】
連繋部材４４は、図１６の（ｃ）および図１７に示すように、搬入操作部４０の裏面から搬入台１５の裏面へとわたり両者を連繋する長さに形成されて、搬入操作部４０側の一端側に位置させて傾動支点部４５を備えている。傾動支点部４５は、側方突出状に形成されている。
これにより、連繋部材４４は、傾動支点部４５を車体下半部１ａの枢支孔部４６に枢支された状態で搬入操作部４０の裏面から搬入台１５の裏面へとわたり揺動可能に取り付け配置されるようになっている。
なお、連繋部材４４の傾動支点部４５が搬入操作部４０側に位置している点、搬入台１５が搬入操作部４０よりも大きめで搬入操作部４０側よりも重い点によって、搬入台１５は、搬入操作部４０が押されない状態で下降位置において待機し、幼児が搬入操作部４０を押すことでスタート台１４の高さ位置まで上昇するものである。
【００４６】
このように構成されているスタート台１４および搬入台１５によれば、誘導路ｂ１によって走行玩具ｂを走行させて遊ぶとき、降下位置の搬入台１５のスロープ上面に走行玩具ｂを載せて搬入操作部４０を下方に押す操作で、図１８に点鎖線で示すように、連繋部材４４の傾動支点部４５を支点とする傾動（揺動）によって搬入台１５がスタート台１４の高さ位置まで上昇される。すると、搬入台１５のスロープ上面１５ａに載せられている走行玩具ｂはスタート台１４側へと乗り移る。走行玩具ｂがスタート台１４側に移ったところで、搬入操作部４０から手が離れると、搬入台１５の自重と連繋部材４４の傾動支点部４５の位置との関係によって、搬入台１５が降下するとともに、搬入操作部４０は元の突出状態（押し操作状態）に戻される。
そして、搬入操作部４０によって走行玩具ｂが搬入台１５からスタート台１４上に乗り移ったところで、スタート台１４のスタートボタン３０ａを下方に押す操作で、図１８に示すように、誘導路ｂ１側に傾くスタート台１４の動きによって走行玩具ｂを誘導路ｂ１へと送り出して誘導路ｂ１を走行させることができる。走行玩具ｂを誘導路ｂ１に送り出したところで、スタートボタン３０ａから手が離れることで、スタートボタン３０ａは弾発部材３８によって元の突出状態に戻される（図１８の実線の状態）。また、スタートボタン３０ａが元の突出状態に戻ることで、スタート台１４の誘導路ｂ１側への傾きも水平に戻される。
【００４７】
このように、スタート台１４と搬入台１５を誘導路ｂ１にスタート位置に配置してなる遊戯施設Ｂによれば、搬入台１５の上に載せた走行玩具ｂを２回に分けた幼児自らの手動操作で誘導路ｂ１へと送り出して走行させるという遊びを幼児に楽しませることができる。
また、スタート台１４から誘導路ｂ１に送り出された走行玩具ｂが、急激に曲がるカーブを通過して距離のある直線コースを走行し、そして大きく曲がるカーブを走行した後に急激な下り坂を下るという走行の変化を見る遊びを視覚的に楽しませることができる。
【００４８】
≪駐車場エリアの説明≫
つぎに、遊戯施設Ｂの駐車場エリアｂ２について説明する。
図１９は、駐車場エリアを示す断面図である。ここでは、図１および図２を適宜参照しながら説明する。
駐車場エリアｂ２は、車体上半部１ｂの後半部１ｂ−１側とこの後半部１ｂ−１側に隣接して開かれる前半部１ｂ−２の一方側とに配置されて、走行玩具ｂの向きを変える遊びや走行玩具ｂを駐車スペース５０に駐車させるなどの遊びを幼児に与えるエリアである。
この駐車場エリアｂ２は、図１および図２に示すように、開かれた車体上半部１ｂの後半部１ｂ−１側において手前側に位置して配置されて走行玩具ｂの向きを変える方向変換設備５１と、この方向変換設備５１の後側に位置して配置される色彩や図形などの変化を楽しむ回転玩具５２、そして、走行玩具ｂを駐車させる駐車スペース５０とから構設されている。
【００４９】
方向変換設備５１は、走行玩具ｂを載せて回転させる回転盤５１ａと、この回転盤５１ａを回転させる回転操作部５１ｂとを備えている。
【００５０】
回転盤５１ａは、一台の走行玩具ｂが載る程度の大きさに形成されて、車体上半部１ｂの後半部１ｂ−１側に回転可能に軸支配置される。また、回転盤５１ａの上面には走行玩具ｂの前後車輪を係合させる凹み５３が設けられていて、回転操作部５１ｂによる回転操作などによって走行玩具ｂが不用意に飛び出さないようにしている。
【００５１】
回転操作部５１ｂは、幼児が掴み得る程度の大きさを有する円形状に形成されて、回転盤５１ａの一側に位置して後半部１ｂ−１側に回転可能に軸支配置される。また、回転操作部５１ｂの円周外面は円周方向に凸凹形状を成して、滑ることなく幼児がしっかりと掴んで回すことができるようにしている。
そして、回転盤５１ａの回転支軸５４と回転操作部５１ｂの回転支軸５５とには外径が異なる伝達歯車５６，５７がそれぞれ軸着され、この両伝達歯車５６，５７を連繋する連繋歯車５８が、両伝達歯車５６，５７の間に回転可能に軸支さている。
これにより、幼児が回転操作部５１ｂを掴んで回すことで、走行玩具ｂが載せられた回転盤５１ａに歯車５６〜５８群を介して回転が伝達されるようになっている。つまり、幼児は回転操作部５１ｂを回して回転盤５１ａ上の走行玩具ｂが向きを変えるなどの遊びを楽しむことができる。
【００５２】
駐車場エリアｂ２の回転玩具５２は、図１および図２に示すように、方向変換設備５１の回転操作部５１ｂに後側に位置して誘導路ｂ１の下部走行路１７に隣接する傾斜壁面に回転可能に配置される。
この回転玩具５２は、ドラム形状に形成されているとともに、その一端側に円周外面が凸凹状に施されている操作部５２ａを備えている。また、回転玩具５２は、回転によって順次に展開するように図示省略の色彩や図形（図柄）などを円周外表面に備えている。
これにより、操作部５２ａに指をかけるなどによって回転玩具５２を回転させることで、順次に展開される色彩や図形などによって幼児を楽しませることができる。
【００５３】
駐車スペース５０は、図１および図２に示すように、方向変換設備５１の回転盤５１ａの後側に位置して配置される。この駐車スペース５０は、回転盤５１ａの上面と同じく、走行玩具ｂの前後車輪を係合させる凹み５９が設けられている。
【００５４】
また、駐車場エリアｂ２には、図１および図２に示すように、横方向に移動させて遊ぶスライド玩具６０と、第２の駐車スペース６１が配置されている。
スライド玩具６０は、駐車スペース５０の垂直壁面に横スライド可能に配置されて、手前に突出している摘み部６０ａを摘まんで横方向に往復移動させることで遊ぶように形成されている。
第２の駐車スペース６１は、車体上半１ｂ部の前半部１ｂ−２の一方側に２台の走行玩具ｂを駐車し得る広さにて配置され、それぞれのスペースに駐車スペース５０と同じく、走行玩具ｂの前後車輪を係合させる凹み６２が設けられている。
【００５５】
［作用説明］
つぎに、以上のように構成されている遊戯施設Ｂを備えている本実施形態に係る乗用玩具Ａについて簡単に説明する。ここでは、図１〜図５、および図１７、図１８を適宜参照しながら説明する。
車体下半部１ａ側に対して車体上半部１ｂ側を閉じた図４および図５に示す乗用態様の状態で、車体１を跨いて座部４に座り両足で地面などを蹴りながら走行する本体の乗用で幼児を遊ばせることができる。このとき、遊戯施設Ｂの誘導路ｂ１で遊ぶ走行玩具ｂは、図３に二点鎖線で示すように、車体下半部１ａの後側（車体後部）に備えられている保管部１０に収容しておく。
【００５６】
そして、図４および図５に示す乗用態様の状態から車体上半部１ｂ側を車体下半部１ａ側の車体側面に枢支部ｐを支点に開くことで、車体下半部１ａ側と車体上半部側の内側に備えられている一連の遊戯施設Ｂが、図１および図２に示すように、外部に出現する。
【００５７】
この遊戯態様の状態において、誘導路ｂ１で走行玩具ｂを走行させて遊ぶときは、保管部１０に収容されている走行玩具ｂを取り出し、誘導路ｂ１のスタート位置のスタート台１４に隣接して配置されている降下位置（図１７参照）で待機する搬入台１５に走行玩具ｂを載せて搬入操作部４０を下方に押す。すると、図１８に二点鎖線で示すように、搬入操作部４０の下方操作によって搬入台１５がスタート台１４の高さ位置まで上昇されて、搬入台１５のスロープ状の上面に載せられている走行玩具ｂはスタート台１４側へと自走にて乗り移る。
走行玩具ｂが搬入台１５からスタート台１５上に乗り移ったところで、スタート台１４のスタートボタン３０ａを下方に押す。すると、図１８に示すように、誘導路ｂ１側に傾くスタート台１４の動きによって走行玩具ｂは誘導路ｂ１へと送り出され、車体下半部１ａ側から車体上半部１ｂ側に至る広範囲にて一連に構成される長い誘導路ｂ１を走行する。このとき、車体前側のスタート直後の急激なカーブを曲がり、車体後側に向けて直線的に下り、そして、車体後側において車体一側に向けて大きくカーブした後に急激下って車体外へと走行玩具ｂが飛び出す。
このように、誘導路ｂ１を走行させる走行玩具ｂによる遊びでは、走行玩具ｂをスタートさせるときの搬入台１５、スタート台１４における幼児自らの手動操作によって走行玩具ｂを誘導路ｂ１へと送り出す楽しみ、そして、誘導路ｂ１に送り出された走行玩具ｂが、急激に曲がるカーブを通過して距離のある直線コースを走行し、そして大きく曲がるカーブを走行した後に急激な下り坂を下るという走行の変化を楽しむことができる。
【００５８】
また、遊戯施設Ｂの駐車場エリアｂ２では、方向変換設備５１の回転操作部５１ｂを回し、回転盤５１ａ上に載せた走行玩具ｂの向きを変えるなどによる遊びから楽しむ、また、回転玩具５２を回転させることで順次に展開される色彩や図形などの変化を見る視覚から楽しむ、そして、駐車スペース５０，６１に走行玩具ｂを駐車させるなどの遊びから楽しむことができる。
【００５９】
なお、本発明の実施形態の具体的な構成は、前記した実施形態に限られるものではなく、特許請求の範囲に記載の本発明の要旨を逸脱しない範囲で設計変更などがあっても本発明に含まれるものである。
例えば、他の遊戯施設Ｂとして、遊園地やテーマパークなどの乗用とは全く異なる遊びを展開させて幼児が楽しむことができる施設を挙げることができる。この場合、遊戯態様に合わせてキャラクタなどを模造した歩行玩具などの小物を付加することもできる。
【００６０】
また、車体下半部１ａ側と車体上半部１ｂ側に関連性の無い遊戯施設をそれぞれ備えることで、狭いスペース（車体１の全長、全幅に相当する広さ）の遊戯態様となるものの、それぞれで幼児を遊ばせ楽しませることもできる。
【００６１】
また、車体上半部１ｂの全体が車体１の後方に向けて開閉し得る形態を採用したり、車体上半部１ｂの全体を車体全長において左右に２分させて車体両側にそれぞれ開閉し得る形態を採用することができる。
また、車体上半部１ｂ側を車体下半部１ａ側に開閉可能に枢支せずに、分離開閉し得る形態などとすることができる。つまり、車体下半部１ａ側と車体上半部１ｂ側との内側に備えられて車体上半部１ｂ側を開いたときに出現する前記の各遊戯施設の形態などに対応させて車体上半部１ｂ側の枢支部を支点とする開閉方向を変えたり、分離開閉式などとすることもできる。
【符号の説明】
【００６２】
Ａ      乗用玩具
１      車体
１ａ    車体下半部
１ｂ    車体上半部
１ｂ−１  後半部
１ｂ−２  前半部
２      前輪
３      後輪
４      座部
５      ハンドル
Ｂ      遊戯施設
ｂ      走行玩具
ｂ１    誘導路
ｂ２    乗車場エリア
１６    上部走行路
１７    下部走行路
１８    連結走行路
Ｐ      枢支部（車両上半部側の開閉支点）
【図１】
0006021325.tif 000002
【図２】
0006021325.tif 000003
【図３】
0006021325.tif 000004
【図４】
0006021325.tif 000005
【図５】
0006021325.tif 000006
【図６】
0006021325.tif 000007
【図７】
0006021325.tif 000008
【図８】
0006021325.tif 000009
【図９】
0006021325.tif 000010
【図１０】
0006021325.tif 000011
【図１１】
0006021325.tif 000012
【図１２】
0006021325.tif 000013
【図１３】
0006021325.tif 000014
【図１４】
0006021325.tif 000015
【図１５】
0006021325.tif 000016
【図１６】
0006021325.tif 000017
【図１７】
0006021325.tif 000018
【図１８】
0006021325.tif 000019
【図１９】
0006021325.tif 000020